(57)【特許請求の範囲】
【請求項１】
空気調和機の定格電圧とは異なる電源電圧を用いる、前記空気調和機の室内機のドレン排水試験装置（１、２１）であって、
前記室内機の回路に対して着脱可能に設けられ、前記室内機のドレンパン内の水を排出するドレンポンプへの配線の端部であるドレンポンプ配線端部（１５）と、
前記室内機の回路から外した状態の前記ドレンポンプ配線端部（１５）に、前記電源電圧に基づいて生成した駆動電圧を供給して前記ドレンポンプを駆動させる電源供給部（２、３２）と、
前記室内機の回路に対して着脱可能に設けられ、前記ドレンパン内のドレン水位を検知するフロートスイッチ（１１）への配線の端部であるフロートスイッチ配線端部（１６）と、
前記室内機の回路から外した状態の前記フロートスイッチ配線端部（１６）と接続されることにより、前記フロートスイッチ（１１）の作動状態を知らせる報知部（３）と
を備えたことを特徴とするドレン排水試験装置（１、２１）。
【請求項２】
前記電源供給部（２、３２）は、ＡＣ１００Ｖを前記空気調和機の定格電圧に昇圧するトランス（５、２５）を含んでいる請求項１に記載のドレン排水試験装置（１、２１）。
【請求項３】
前記電源供給部（２、３２）は、交流を直流に変換する整流回路（６）を含んでいる請求項１又は２に記載のドレン排水試験装置（１、２１）。
【請求項４】
前記ドレンポンプ配線端部に設けられたコネクター（１５）が、前記室内機の制御用の基板に対して着脱可能であり、前記電源供給部（２、３２）は、外したコネクター（１５）に接続できるコネクター（９、１０）を備えており、且つ、
前記フロートスイッチ配線端部に設けられたコネクター（１６）が、前記室内機の制御用の基板に対して着脱可能であり、前記報知部（３）は、外したコネクター（１６）に接続できるコネクター（１４）を備えている請求項１〜３のいずれか１項に記載のドレン排水試験装置（１、２１）。
【発明の詳細な説明】
【技術分野】
【０００１】
本発明はドレン排水試験装置に関する。さらに詳しくは、空気調和機の室内機のドレン配管の通水試験及びドレンポンプの機能試験を行うドレン排水試験装置に関する。
【背景技術】
【０００２】
天井内設置型又は天吊型室内機のドレン配管の通水試験及びドレンポンプの機能試験は、通常、天井を施工する前に行われている。業務用の室内機を運転するにはＡＣ２００Ｖの定格電圧が必要であるが、天井施工前の段階の現場には、仮設電源（ＡＣ１００Ｖ）は供給されているものの本設電源（ＡＣ２００Ｖ）が供給されていないことが多い。
【０００３】
そこで、従来、仮設電源をトランスで２００Ｖに昇圧し、このＡＣ２００Ｖを室内機に供給し、ドレンポンプを含む室内機全体を運転させる試験装置が提案されている。この試験装置は、送水タンク、送水ポンプ及び送水流量計を内蔵しており、送水ポンプによりドレンパンに所定流量の水を供給してドレン配管の通水試験及びドレンポンプの機能試験を行っている。
【発明の概要】
【発明が解決しようとする課題】
【０００４】
しかしながら、前述した試験装置では、室内機全体を運転させており、機能確認の対象であるドレンポンプ以外のファンなどの部品へも電力を供給しているので、消費電力が大きく、また、その分装置自体が大型化して重くなり、現場でかさばってしまう。
【０００５】
また、前述した試験装置を用いる場合、ドレンパンからドレンがオーバーフローするのを監視するフロートスイッチが作動したか否かのフィードバックがとりにくいという問題がある。すなわち、前述した試験装置では、室内機全体を運転させているので、当該室内機の制御部は室内機全体の運転調整をしており、ドレン配管の詰まりやドレンポンプの故障などでフロートスイッチが作動した場合、その信号によりリモコンに異常ランプが点灯するが、当該信号を外部に取り出すことが難しい。このため、フロートスイッチが作動したときに、前記送水ポンプの運転を自動停止させることが難しく、ドレンがドレンパンからオーバーフローするという問題がある。
【０００６】
本発明は、このような事情に鑑みてなされたものであり、消費電力を小さくするとともに装置の小型化を図ることができ、また、フロートスイッチの作動信号を簡単に外部に取り出すことができる試験装置を提供することを目的としている。
【課題を解決するための手段】
【０００７】
（１）本発明のドレン排水試験装置は、空気調和機の定格電圧とは異なる電源電圧を用いる、前記空気調和機の室内機のドレン排水試験装置であって、
前記室内機の回路に対して着脱可能に設けられ、前記室内機のドレンパン内の水を排出するドレンポンプへの配線の端部であるドレンポンプ配線端部と、
前記室内機の回路から外した状態の前記ドレンポンプ配線端部に、前記電源電圧に基づいて生成した駆動電圧を供給して前記ドレンポンプを駆動させる電源供給部と、
前記室内機の回路に対して着脱可能に設けられ、前記ドレンパン内のドレン水位を検知するフロートスイッチ（１１）への配線の端部であるフロートスイッチ配線端部（１６）と、
前記室内機の回路から外した状態の前記フロートスイッチ配線端部（１６）と接続されることにより、前記フロートスイッチ（１１）の作動状態を知らせる報知部（３）と
を備えたことを特徴としている。
【０００８】
本発明のドレン排水試験装置では、従来のように室内機全体を運転させるのではなく、機能確認の対象であるドレンポンプだけを駆動させることができ、消費電力を、例えば従来の１０分の１程度に低減させることができる。また、供給電力が小さくてすむため、装置の小型化及び軽量化を図ることができ、現場での取扱いが容易になる。
また、本発明の試験装置では、報知部によって、室内機のドレンパン内のドレン水位を検知するフロートスイッチの作動を知らせることができるので、ドレン配管の詰まりやドレンポンプの故障などに起因する排水不良を容易に把握して必要な対策を採ることができる。
【０００９】
（２）前記（１）のドレン排水試験装置において、前記電源供給部は、ＡＣ１００Ｖを前記空気調和機の定格電圧に昇圧するトランスを含んだものとすることができる。室内機のドレンポンプが、例えばＡＣ２００Ｖのように現場の仮設電源のＡＣ１００Ｖとは異なる定格電圧で駆動するタイプのものである場合、トランスで昇圧した定格電圧をドレンポンプに供給して当該ドレンポンプを駆動させることができる。
【００１０】
（３）前記（１）又は（２）のドレン排水試験装置において、前記電源供給部は、交流を直流に変換する整流回路を含んでいることが好ましい。室内機のドレンポンプが直流で駆動するタイプのものである場合、整流回路により変換された直流をドレンポンプに供給して当該ドレンポンプを駆動させることができる。
（４）前記（１）〜（３）のドレン排水試験装置において、前記ドレンポンプ配線端部に設けられたコネクターが、前記室内機の制御用の基板に対して着脱可能であり、前記電源供給部は、外したコネクターに接続できるコネクターを備えており、且つ、
前記フロートスイッチ配線端部に設けられたコネクターが、前記室内機の制御用の基板に対して着脱可能であり、前記報知部は、外したコネクターに接続できるコネクターを備えていることが好ましい。この場合、コネクターの着脱により簡単に仮設電源に基づいてドレンポンプを駆動させることができる。また、コネクターを標準化することにより種々の機種に対しての使用が可能となり、ドレン排水試験装置の汎用性を高めることができる。さらに、ドレンポンプ側又はフロートスイッチ側のコネクターが標準とは異なっていても、アダプターを用いることでドレン排水試験装置を使用可能にすることができる。
【発明の効果】
【００１１】
本発明のドレン排水試験装置によれば、消費電力を小さくするとともに装置の小型化を図ることができ、また、フロートスイッチの作動信号を簡単に外部に取り出すことができる。
【図面の簡単な説明】
【００１２】
【図１】本発明のドレン排水試験装置の第１実施形態の回路説明図である。
【図２】本発明のドレン排水試験装置の第２実施形態の回路説明図である。
【図３】第２実施形態に係るドレン排水試験装置においてバッテリーを使用しないときの回路説明図である。
【発明を実施するための形態】
【００１３】
以下、添付図面を参照しつつ、本発明のドレン排水試験装置の実施の形態を詳細に説明する。
【００１４】
〔第１実施形態〕
図１は、本発明の第１実施形態に係るドレン排水試験装置１の回路説明図である。
本実施の形態のドレン排水試験装置１は、本設電源を受電する前の現場において、仮設電源を用いて空気調和機の室内機のドレンポンプの機能試験及びドレン配管の通水試験を行うものであり、電源供給部２と、報知部３とを備えている。ドレン排水試験装置１を構成する要素は、ケーシング４内に収容されるか、又は、ケーシング４の上面若しくは側面に配設されている。
【００１５】
電源供給部２は、空気調和機の定格電圧とは異なる、仮設電源の電源電圧（ＡＣ１００Ｖ）に基づいてドレンポンプを駆動させるものであり、トランス５、ダイオードブリッジを有する整流回路６、及びコネクター９、１０を備えている。現場の仮設電源のコンセント（図示せず）にプラグ７を差し込んで、電源スイッチ８をオンにすることにより、トランス５によってＡＣ１００ＶがＡＣ２００Ｖに昇圧されるとともに、ＡＣ１００ＶがＡＣ１７Ｖに降圧される。降圧されたＡＣ１７Ｖは、整流回路６によってＤＣ１２Ｖに変換される。ＡＣ１００Ｖから昇圧されたＡＣ２００Ｖは、ＡＣ２００Ｖ用のコネクター９まで供給される。ＡＣ１７Ｖから変換されたＤＣ１２Ｖは、ＤＣ１２Ｖ用のコネクター１０及び１４まで供給される。コネクター９及び１０は、ドレンポンプ駆動用であり、コネクター１４は、後述するフロートスイッチ１１用である。なお、図１において、２０はヒューズである。
【００１６】
室内機のドレンパン（図示せず）内には、当該ドレンパン内のドレン水位を検知してドレンがドレンパンからオーバーフローするのを防止するフロートスイッチ１１が配設されている。このフロートスイッチ１１は、通常は「閉」の状態であり、ドレンパン内のドレン水位が所定レベル以上に達したときに開状態になる。
【００１７】
フロートスイッチ１１は、リレーコイル１２ａを経由してＤＣ１２Ｖに接続可能であり、ドレンパン内のドレン水位が所定レベル未満の正常時には、リレーコイル１２ａが励磁され、リレー接点１２ｂが閉じてランプ３０が点灯する。一方、ドレンパン内のドレン水位が所定レベル以上になると、フロートスイッチ１１が作動して接点が開状態になるので、リレーコイル１２ａが消磁され、リレー接点１２ｂが開いてランプ３０が消灯する。かかるリレーコイル１２ａ、リレー接点１２ｂ、ランプ３０及びコネクター１４により本実施の形態における報知部３が構成されている。
【００１８】
室内機のプリント基板１３には、当該室内機の運転を制御する制御部などとともに、ドレンポンプのコネクター１５を接続する接続部１５ａ及びフロートスイッチ１１のコネクター１６を接続する接続部１６ａが配設されている。通常は、コネクター１５は接続部１５ａに接続され、コネクター１６は接続部１６ａに接続されているが、これらコネクター１５、１６は前記プリント基板１３に対して着脱可能である。また、コネクター９、１０はコネクター１５と接続可能であり、コネクター１４はコネクター１６と接続可能である。
【００１９】
次に、前記ドレン排水試験装置１の使用方法について説明する。
室内機のプリント基板１３からドレンポンプのコネクター１５及びフロートスイッチ１１のコネクター１６を外すとともに、プラグ７を仮設電源のコンセントに接続する。
【００２０】
外したフロートスイッチ１１のコネクター１６を、ドレン排水試験装置１のフロートスイッチ１１用のコネクター１４に接続する。一方、外したドレンポンプのコネクター１５を、ドレンポンプの電源仕様に応じてＡＣ２００Ｖ用のコネクター９又はＤＣ１２Ｖ用のコネクター１０に接続する。なお、同じＡＣ２００Ｖ駆動であっても機種によりコネクター１５の形状が異なることがあるが、コネクターを標準化することにより種々の機種に対してドレン排水試験装置１を使用することが可能になる。また、機種によりコネクター１５の形状が異なっていたとしても、コネクター１５の種々の形状に対応した、例えばアダプターを用いることでドレンポンプのコネクター１５とＡＣ２００Ｖ用のコネクター９とを接続することができる。このことは、ドレンポンプがＤＣ駆動の場合でも同様である。
【００２１】
ついで、電源スイッチ８をオンにすることで、ドレンポンプ、ランプ３０、及びリレーコイル１２ａに電源を供給する。これにより、ドレンポンプが駆動するとともに、ランプ３０が点灯する。この状態で、室内機の点検口の蓋を外して、当該点検口からドレンパンに水を供給すると、供給された水はドレンポンプによりドレンアップされて機外へ排水される。排水の通路のうち、室内機のケーシングを貫通する部分は透明な材料で作製されたキャップ部とされており、このキャップ部に排水ホースが接続される。機外に排出される水は、このキャップ部において目視により確認することができる。なお、通水試験用の水は、電源スイッチ８をオンする前に所定量をドレンパン内に供給しておいてもよい。
【００２２】
ドレン配管に詰まりがなく、ドレンポンプが正常に作動しているときは、ドレンパン内に供給される水は機外に排出されるので、フロートスイッチ１１が作動することはないので、ランプ３０は点灯したままである。一方、ドレン配管の詰まりや、ドレンポンプの故障により所定の排水機能が発揮できない場合、ドレンパン内に水を供給し続けると、やがてドレン水位は所定レベルに達してフロートスイッチ１１が作動して、当該フロートスイッチ１１の接点が開状態になる。その結果、リレー接点１２ｂが開いてランプ３０が消灯する。これにより、ユーザは、何らかの異常によりドレンパン内のドレン水位が上昇してフロートスイッチ１１が作動したことを知ることができ、ドレンパン内への水の供給を止めてフロートスイッチ１１が作動した原因を探ることができる。
【００２３】
〔第２実施形態〕
図２は、本発明の第２実施形態に係るドレン排水試験装置２１の回路説明図である。第２実施形態に係るドレン排水試験装置２１が、図１に示される第１実施形態に係るドレン排水試験装置１と異なる点は、直流電源としてバッテリー２３からの電源も使用可能にしたことである。したがって、両実施形態において共通する構成ないし要素には同じ参照符号を付し、それらについての説明は省略し、相違点を中心に説明をする。
【００２４】
本実施の形態では、トランス２５の二次側において整流回路６と並行して充電回路２２が設けられており、この充電回路２２を介してバッテリー２３が充電される。また、バッテリー２３の使用時（放電時）と、非使用時（整流回路６で変換されたＤＣの使用時）とで線路を切り替える切替スイッチ２４が設けられている。バッテリー２３としては、例えば自動車などに用いられている鉛蓄電池やアルカリ電池などを採用することができる。
【００２５】
バッテリー２３を使用しないとき、換言すれば整流回路６で変換されたＤＣを使用するときは、切替スイッチ２４により、図３に示されるように線路を切り替えて、整流回路６で変換されたＤＣをＤＣ１２Ｖ用のコネクター１０まで供給する。また、充電回路２２により、バッテリー２３を充電する。
【００２６】
一方、仮設電源のコンセントが近くに存在しないときなどには、切替スイッチ２４により、図２に示されるように線路を切り替えて、バッテリー２３からＤＣ１２Ｖ用のコネクター１０までＤＣ電源を供給する。
【００２７】
本実施の形態の場合、仮設電源のコンセントが近くに存在しない場合でも、ドレンポンプがＤＣ駆動タイプであるときは、バッテリー２３に蓄えた電源を用いて、ドレン配管の通水試験及びドレンポンプの機能試験を行うことができる。
【００２８】
〔その他の変形例〕
本発明のドレン排水試験装置は、前述した実施の形態に限定されるものではなく、種々の変更ないし改変が可能である。
例えば、前述した実施の形態では、ランプの消灯によりフロートスイッチが作動したことをユーザに知らせているが、ドレン廻りの何らかの異常に起因するフロートスイッチの作動を知らせる報知部としては、ランプ以外にブザーなどの音響手段を用いることができる。また、ランプなどの表示手段と音響手段とを併用することもできる。
【００２９】
また、前述した実施の形態では、試験用の水をユーザがマニュアルでドレンパン内に供給しているが、送水タンク及び送水ポンプを用いてドレンパン内に水を供給することもできる。
【符号の説明】
【００３０】
１      ドレン排水試験装置
２      電源供給部
３      報知部
４      ケーシング
５      トランス
６      整流回路
７      プラグ
８      電源スイッチ
９      ＡＣ２００Ｖ用コネクター
１０      ＤＣ１２Ｖ用コネクター
１１      フロートスイッチ
１２ａ    リレーコイル
１２ｂ    リレー接点
１３      プリント基板
１４      フロートスイッチ用コネクター
１５      ドレンポンプのコネクター
１６      フロートスイッチのコネクター
２０      ヒューズ
２１      ドレン排水試験装置
２２      充電回路
２３      バッテリー
２４      切替スイッチ
２５      トランス
３０      ランプ
３２      電源供給部
【図１】
0005589689.tif 000002
【図２】
0005589689.tif 000003
【図３】
0005589689.tif 000004